(57)【要約】水溶性スピカマイシン誘導体を投与することにより、疼痛軽減を提供する方法。疼痛仲介剤の使用法も提供される。【特許請求の範囲】
【請求項１】
疼痛軽減を提供する方法であって、
疼痛軽減を必要とする被験者を同定する段階；および
被験者における有意な疼痛軽減を提供するのに有効な量の式ＩＩの化合物またはその塩を被験者に投与する段階
を含む方法：
【化１】
2004537494.tif 000004
（式中、Ｒ１およびＲ２は互いに異なり、−Ｈまたは−ＯＨを表し、かつＲは（１）一つもしくは二つの炭素原子を有する置換もしくは無置換アルキル、または（２）−Ｈを表す）。
【請求項２】
Ｒが置換アルキルである、請求項１に記載の方法。
【請求項３】
Ｒが二つの炭素原子を有する、請求項１に記載の方法。
【請求項４】
Ｒがペプチド結合を含む、請求項１に記載の方法。
【請求項５】
Ｒがアミノ基を含む、請求項１に記載の方法。
【請求項６】
アミノ基が一級アミノ基である、請求項５に記載の方法。
【請求項７】
Ｒが−ＣＯＣＨ２ＮＨ２である、請求項１に記載の方法。
【請求項８】
Ｒ１が−Ｈであり、かつＲ２が−ＯＨである、請求項７に記載の方法。
【請求項９】
Ｒ１が−Ｈであり、かつＲ２が−ＯＨである、請求項１に記載の方法。
【請求項１０】
疼痛が神経障害性疼痛である、請求項１に記載の方法。
【請求項１１】
疼痛がヘルペス後神経痛、幻肢もしくは切断端痛、糖尿病性神経障害、後天性免疫不全症候群神経障害、背痛、内臓痛、または慢性膵炎性神経障害である、請求項１０に記載の方法。
【請求項１２】
疼痛がオピオイド抵抗性である、請求項１に記載の方法。
【請求項１３】
被験者が哺乳類である、請求項１に記載の方法。
【請求項１４】
被験者がヒトである、請求項１に記載の方法。
【請求項１５】
化合物が全身投与される、請求項１に記載の方法。
【請求項１６】
化合物が被験者の疼痛部位に投与される、請求項１に記載の方法。
【請求項１７】
化合物がインプラントを介して投与される、請求項１に記載の方法。
【請求項１８】
インプラントが化合物の遅延放出を提供する、請求項１７に記載の方法。
【請求項１９】
化合物が静脈内投与される、請求項１に記載の方法。
【請求項２０】
投与量が体表面積１ｍ２あたり約１ｎｇから４ｍｇである、請求項１に記載の方法。
【請求項２１】
投与量が患者体表面積１ｍ２あたり約８０ｎｇから１ｍｇである、請求項１に記載の方法。
【請求項２２】
投与量が体重１ｋｇあたり約１０ｍｇから１００ｍｇである、請求項１に記載の方法。
【請求項２３】
投与量が体重１ｋｇあたり約１００ｍｇである、請求項２２に記載の方法。
【請求項２４】
化合物が水溶液で投与される、請求項１に記載の方法。
【請求項２５】
侵害受容性疼痛よりも神経障害性疼痛が選択的に軽減される、請求項１に記載の方法。
【請求項２６】
神経障害性疼痛治療のための標的として、遺伝子またはその遺伝子によってコードされる被験ポリペプチドを査定する方法であって、
式ＩＩの化合物またはその塩を被験ポリペプチドと接触させる段階；および
式ＩＩの化合物またはその塩と被験ポリペプチドとの結合親和性を測定する段階を含む方法：
【化２】
2004537494.tif 000005
（式中：
各Ｒ基は独立にＨ、または１個から３個の独立のＲ３もしくはＲ４で置換された１個から５個の炭素原子を有するアルキル基であってもよく；
各Ｒ３は独立に、いずれも１個〜３個の独立のＲ５で選択的に置換されたヘテロシクリルまたはヘテロアリールであり；
各Ｒ４は独立にハロゲン、酸素、硫黄、ＣＦ３、ＳＲ６、ＯＲ６、ＯＣ（Ｏ）Ｒ６、ＮＲ６Ｒ６、ＮＲ６Ｒ７、ＣＯＯＲ６、Ｃ（Ｏ）Ｒ６、またはＣ（Ｏ）ＮＲ６Ｒ６であり；
各Ｒ５は独立にＣ１〜Ｃ１０アルキル；ハロ；ハロアルキル；ＳＲ６；ＯＲ６；ＮＲ６Ｒ６；ＣＯＯＲ６；ＮＯ２；ＣＮ；Ｃ（Ｏ）Ｒ６；Ｃ（Ｏ）ＮＲ６Ｒ６；ＯＣ（Ｏ）Ｒ６；Ｓ（Ｏ）２Ｒ６；Ｓ（Ｏ）２ＮＲ６Ｒ６；ＮＲ６Ｃ（Ｏ）ＮＲ６Ｒ６；ＮＲ６Ｃ（Ｏ）Ｒ６；ＮＲ６（ＣＯＯＲ６）；ＮＲ６Ｃ（Ｏ）Ｒ８；ＮＲ６Ｓ（Ｏ）２ＮＲ６Ｒ６；ＮＲ６Ｓ（Ｏ）２Ｒ６；ＮＲ６Ｓ（Ｏ）２Ｒ８；またはＲ４もしくはＲ８で置換されたＣ１〜Ｃ１０アルキルであり；
各Ｒ６は独立にＨ、Ｃ１〜Ｃ１０アルキル；Ｃ２〜Ｃ１０アルケニル；Ｃ２〜Ｃ１０アルキニル；Ｃ３〜Ｃ１０シクロアルキル；Ｒ８；またはＲ８で置換されたＣ１〜Ｃ１０アルキルであり；
各Ｒ７は独立にＣＯＯＲ９、Ｃ（Ｏ）ＮＲ９Ｒ９、Ｓ（Ｏ）２Ｒ９；またはＳ（Ｏ）２ＮＲ９Ｒ９であり；
各Ｒ８は独立にアリール、ヘテロアリール、またはヘテロシクリルであり；かつ  各Ｒ９は独立にＨ、Ｃ１〜Ｃ１０アルキル、アリール、ヘテロアリール、またはヘテロシクリルである）。
【請求項２７】
Ｒ１およびＲ２は互いに異なり、−Ｈまたは−ＯＨを表し、かつＲは（１）一つもしくは二つの炭素原子を有する置換もしくは無置換アルキル、または（２）−Ｈを表す、請求項２６に記載の方法。
【請求項２８】
各Ｒは独立にＨ、または１個から３個の独立のＲ３もしくはＲ４で置換された１から２個の炭素原子を有するアルキル基であってもよい、請求項２６に記載の方法。
【請求項２９】
疼痛軽減を提供する方法であって、
疼痛軽減を必要とする被験者を同定する段階；および
被験者における有意な疼痛軽減を提供するのに有効な量の式ＩＩの化合物またはその塩を被験ポリペプチドと共に被験者に投与する段階
を含む方法：
【化３】
2004537494.tif 000006
（式中
各Ｒ基は独立にＨ、または１個から３個の独立のＲ３もしくはＲ４で置換された１個から５個の炭素原子を有するアルキル基であってもよく；
各Ｒ３は独立に、いずれも１個〜３個の独立のＲ５で選択的に置換されたヘテロシクリルまたはヘテロアリールであり；
各Ｒ４は独立にハロゲン、酸素、硫黄、ＣＦ３、ＳＲ６、ＯＲ６、ＯＣ（Ｏ）Ｒ６、ＮＲ６Ｒ６、ＮＲ６Ｒ７、ＣＯＯＲ６、Ｃ（Ｏ）Ｒ６、またはＣ（Ｏ）ＮＲ６Ｒ６であり；
各Ｒ５は独立にＣ１〜Ｃ１０アルキル；ハロ；ハロアルキル；ＳＲ６；ＯＲ６；ＮＲ６Ｒ６；ＣＯＯＲ６；ＮＯ２；ＣＮ；Ｃ（Ｏ）Ｒ６；Ｃ（Ｏ）ＮＲ６Ｒ６；ＯＣ（Ｏ）Ｒ６；Ｓ（Ｏ）２Ｒ６；Ｓ（Ｏ）２ＮＲ６Ｒ６；ＮＲ６Ｃ（Ｏ）ＮＲ６Ｒ６；ＮＲ６Ｃ（Ｏ）Ｒ６；ＮＲ６（ＣＯＯＲ６）；ＮＲ６Ｃ（Ｏ）Ｒ８；ＮＲ６Ｓ（Ｏ）２ＮＲ６Ｒ６；ＮＲ６Ｓ（Ｏ）２Ｒ６；ＮＲ６Ｓ（Ｏ）２Ｒ８；またはＲ４もしくはＲ８で置換されたＣ１〜Ｃ１０アルキルであり；
各Ｒ６は独立にＨ、Ｃ１〜Ｃ１０アルキル；Ｃ２〜Ｃ１０アルケニル；Ｃ２〜Ｃ１０アルキニル；Ｃ３〜Ｃ１０シクロアルキル；Ｒ８；またはＲ８で置換されたＣ１〜Ｃ１０アルキルであり；
各Ｒ７は独立にＣＯＯＲ９、Ｃ（Ｏ）ＮＲ９Ｒ９、Ｓ（Ｏ）２Ｒ９；またはＳ（Ｏ）２ＮＲ９Ｒ９であり；
各Ｒ８は独立にアリール、ヘテロアリール、またはヘテロシクリルであり；かつ  各Ｒ９は独立にＨ、Ｃ１〜Ｃ１０アルキル、アリール、ヘテロアリール、またはヘテロシクリルである）。
【請求項３０】
疼痛が神経障害性疼痛である、請求項２９に記載の方法。
【請求項３１】
疼痛がヘルペス後神経痛、幻肢もしくは切断端痛、糖尿病性神経障害、後天性免疫不全症候群神経障害、背痛、内臓痛、または慢性膵炎性神経障害である、請求項３０に記載の方法。
【請求項３２】
疼痛がオピオイド抵抗性である、請求項２９に記載の方法。
【請求項３３】
被験者が哺乳類である、請求項２９に記載の方法。
【請求項３４】
被験者がヒトである、請求項２９に記載の方法。
【請求項３５】
化合物が全身投与される、請求項２９に記載の方法。
【請求項３６】
化合物が被験者の疼痛部位に投与される、請求項２９に記載の方法。
【請求項３７】
化合物がインプラントを介して投与される、請求項２９に記載の方法。
【請求項３８】
インプラントが化合物の遅延放出を提供する、請求項３７に記載の方法。
【請求項３９】
化合物が静脈内投与される、請求項２９に記載の方法。
【請求項４０】
投与量が体表面積１ｍ２あたり約１ｎｇから４ｍｇである、請求項２９に記載の方法。
【請求項４１】
投与量が患者体表面積１ｍ２あたり約８０ｎｇから１ｍｇである、請求項２９に記載の方法。
【請求項４２】
投与量が体重１ｋｇあたり約１０ｍｇから１００ｍｇである、請求項２９に記載の方法。
【請求項４３】
投与量が体重１ｋｇあたり約１００ｍｇである、請求項４２に記載の方法。
【請求項４４】
化合物が水溶液で投与される、請求項２９に記載の方法。
【請求項４５】
侵害受容性疼痛よりも神経障害性疼痛が選択的に軽減される、請求項２９に記載の方法。
【請求項４６】
疼痛仲介に関与する新規の遺伝子、受容体、またはペプチドを同定する方法であって、式ＩＩの化合物またはその塩を組織に投与する段階、組織を採取する段階、および公知または新規の遺伝子、受容体、またはペプチドの効果について組織を評価する段階を含む方法：
【化４】
2004537494.tif 000007
（式中
各Ｒ基は独立にＨ、または１から３個の独立のＲ３もしくはＲ４で置換された１から５個の炭素原子を有するアルキル基であってもよく；
各Ｒ３は独立に、いずれも１〜３個の独立のＲ５で選択的に置換されたヘテロシクリルまたはヘテロアリールであり；
各Ｒ４は独立にハロゲン、酸素、硫黄、ＣＦ３、ＳＲ６、ＯＲ６、ＯＣ（Ｏ）Ｒ６、ＮＲ６Ｒ６、ＮＲ６Ｒ７、ＣＯＯＲ６、Ｃ（Ｏ）Ｒ６、またはＣ（Ｏ）ＮＲ６Ｒ６であり；
各Ｒ５は独立にＣ１〜Ｃ１０アルキル；ハロ；ハロアルキル；ＳＲ６；ＯＲ６；ＮＲ６Ｒ６；ＣＯＯＲ６；ＮＯ２；ＣＮ；Ｃ（Ｏ）Ｒ６；Ｃ（Ｏ）ＮＲ６Ｒ６；ＯＣ（Ｏ）Ｒ６；Ｓ（Ｏ）２Ｒ６；Ｓ（Ｏ）２ＮＲ６Ｒ６；ＮＲ６Ｃ（Ｏ）ＮＲ６Ｒ６；ＮＲ６Ｃ（Ｏ）Ｒ６；ＮＲ６（ＣＯＯＲ６）；ＮＲ６Ｃ（Ｏ）Ｒ８；ＮＲ６Ｓ（Ｏ）２ＮＲ６Ｒ６；ＮＲ６Ｓ（Ｏ）２Ｒ６；ＮＲ６Ｓ（Ｏ）２Ｒ８；またはＲ４もしくはＲ８で置換されたＣ１〜Ｃ１０アルキルであり；
各Ｒ６は独立にＨ、Ｃ１〜Ｃ１０アルキル；Ｃ２〜Ｃ１０アルケニル；Ｃ２〜Ｃ１０アルキニル；Ｃ３〜Ｃ１０シクロアルキル；Ｒ８；またはＲ８で置換されたＣ１〜Ｃ１０アルキルであり；
各Ｒ７は独立にＣＯＯＲ９、Ｃ（Ｏ）ＮＲ９Ｒ９、Ｓ（Ｏ）２Ｒ９；またはＳ（Ｏ）２ＮＲ９Ｒ９であり；
各Ｒ８は独立にアリール、ヘテロアリール、またはヘテロシクリルであり；かつ  各Ｒ９は独立にＨ、Ｃ１〜Ｃ１０アルキル、アリール、ヘテロアリール、またはヘテロシクリルである）。
【請求項４７】
潜在的な疼痛薬の効力を査定する方法であって、被験化合物および式ＩＩの化合物を、被験化合物および式ＩＩの化合物の有効性の尺度または査定を提供する被験者または媒体に供することにより、式ＩＩの化合物またはその塩に対して被験化合物を評価する段階を含む方法：
【化５】
2004537494.tif 000008
（式中
各Ｒ基は独立にＨ、または１から３個の独立のＲ３もしくはＲ４で置換された１から５個の炭素原子を有するアルキル基であってもよく；
各Ｒ３は独立に、いずれも１〜３個の独立のＲ５で選択的に置換されたヘテロシクリルまたはヘテロアリールであり；
各Ｒ４は独立にハロゲン、酸素、硫黄、ＣＦ３、ＳＲ６、ＯＲ６、ＯＣ（Ｏ）Ｒ６、ＮＲ６Ｒ６、ＮＲ６Ｒ７、ＣＯＯＲ６、Ｃ（Ｏ）Ｒ６、またはＣ（Ｏ）ＮＲ６Ｒ６であり；
各Ｒ５は独立にＣ１〜Ｃ１０アルキル；ハロ；ハロアルキル；ＳＲ６；ＯＲ６；ＮＲ６Ｒ６；ＣＯＯＲ６；ＮＯ２；ＣＮ；Ｃ（Ｏ）Ｒ６；Ｃ（Ｏ）ＮＲ６Ｒ６；ＯＣ（Ｏ）Ｒ６；Ｓ（Ｏ）２Ｒ６；Ｓ（Ｏ）２ＮＲ６Ｒ６；ＮＲ６Ｃ（Ｏ）ＮＲ６Ｒ６；ＮＲ６Ｃ（Ｏ）Ｒ６；ＮＲ６（ＣＯＯＲ６）；ＮＲ６Ｃ（Ｏ）Ｒ８；ＮＲ６Ｓ（Ｏ）２ＮＲ６Ｒ６；ＮＲ６Ｓ（Ｏ）２Ｒ６；ＮＲ６Ｓ（Ｏ）２Ｒ８；またはＲ４もしくはＲ８で置換されたＣ１〜Ｃ１０アルキルであり；
各Ｒ６は独立にＨ、Ｃ１〜Ｃ１０アルキル；Ｃ２〜Ｃ１０アルケニル；Ｃ２〜Ｃ１０アルキニル；Ｃ３〜Ｃ１０シクロアルキル；Ｒ８；またはＲ８で置換されたＣ１〜Ｃ１０アルキルであり；
各Ｒ７は独立にＣＯＯＲ９、Ｃ（Ｏ）ＮＲ９Ｒ９、Ｓ（Ｏ）２Ｒ９；またはＳ（Ｏ）２ＮＲ９Ｒ９であり；
各Ｒ８は独立にアリール、ヘテロアリール、またはヘテロシクリルであり；かつ  各Ｒ９は独立にＨ、Ｃ１〜Ｃ１０アルキル、アリール、ヘテロアリール、またはヘテロシクリルである）。
【発明の詳細な説明】
【０００１】
関連出願への相互参照
本出願は、２０００年９月２０日出願の米国特許仮出願第６０／２３４，３８２号の恩典を主張する。
【０００２】
発明の背景
スピカマイシン（ＳＰＭ）は、細菌ストレプトマイセス・アラノシニカス（Ｓｔｒｅｐｔｏｍｙｃｅｓ ａｌａｎｏｓｉｎｉｃｕｓ） ８７９−ＭＴ３（ハヤカワ（Ｈａｙａｋａｗａ）ら、Ａｇｒｉｃ． Ｂｉｏｌ． Ｃｈｅｍ． ４９：２６８５〜２６９１、１９８５）によって産生される抗腫瘍抗生物質である。スピカマイシンおよびその誘導体は、疼痛軽減のためにも用いられる（米国特許第５，９０５，０６９号）。天然ＳＰＭは、脂肪酸部分においてのみ変動する下記の一般構造を有している：
【化６】
2004537494.tif 000002
式Ｉ：スピカマイシン
スピカマイシンの合成変種およびそれらの抗腫瘍物質としての使用は、オタケ（Ｏｔａｋｅ）ら、米国特許第５，４６１，０３６号および第５，６３１，２３８号に記載されている。
【０００３】
発明の概要
本発明は、スピカマイシン誘導体のサブクラスにおいて脂肪酸部分を実質的に除去することにより、疼痛の治療に特に有用な薬物が得られるという予想外の発見に基づいている。このスピカマイシン誘導体のサブクラスは、脂肪酸を含む誘導体に比べて高い水溶性を示し、したがって、ヒトへの投与に適した調合物（例えば、生理的緩衝液を含む調合物）への許容性がより高い。加えて、このスピカマイシン誘導体のサブクラスを含む薬学的調合物は、活性成分を可溶化するために有毒な親油性担体を必要としないため、可能性のある毒性を低下させることができる。
【０００４】
したがって、本発明は、疼痛軽減を必要とする被験者（例えば、ヒト、イヌ、ネコ、またはウマなどの哺乳類）を同定すること；および被験者における著しい疼痛軽減を提供するのに有効な式ＩＩの化合物の一定量を被験者に投与することにより、疼痛軽減を提供する方法を特徴とする。
【化７】
2004537494.tif 000003
Ｒ１およびＲ２は互いに異なり、−Ｈまたは−ＯＨを表し、かつＲは（１）一つもしくは二つの炭素原子（すなわち、二つ以下の炭素原子）を有する置換もしくは無置換アルキル、または（２）−Ｈを表す。例えば、Ｒはアミノ基（例えば、一級アミノ基）、カルボニル基または両方を含みうる。Ｒが−ＣＯＣＨ２ＮＨ２であり、Ｒ１が−Ｈであり、かつＲ２が−ＯＨである場合、化合物は４’−Ｎ−グリシルスピカマイシンアミノヌクレオシド（ＳＡＮ−Ｇｌｙ）として公知である。Ｒが−Ｈである場合、化合物はＳＡＮとして公知である。例えば、カミショウハラ（Ｋａｍｉｓｈｏｈａｒａ）ら、Ｏｎｃｏｌｏｇｙ Ｒｅｓ． ６：３８３〜３９０、１９９４を参照されたい。式ＩＩの化合物の塩も、本発明の方法において用いることができる。
【０００５】
本明細書の方法において有用な式ＩＩの化合物（およびその塩）は、Ｒ１およびＲ２が独立にＨまたはＯＨで、ただしＲ１およびＲ２は同時に同じではなく、かつ：
各Ｒ基は独立にＨ、または１個から３個の独立のＲ３もしくはＲ４で置換された１から５個（例えば、１個から２個、１個から３個、１個から４個）の炭素原子を有するアルキル基であってもよく；
各Ｒ３は独立に、いずれも１個〜３個の独立のＲ５で選択的に置換されたヘテロシクリルまたはヘテロアリールであり；
各Ｒ４は独立にハロゲン、酸素、硫黄、ＣＦ３、ＳＲ６、ＯＲ６、ＯＣ（Ｏ）Ｒ６、ＮＲ６Ｒ６、ＮＲ６Ｒ７、ＣＯＯＲ６、Ｃ（Ｏ）Ｒ６、またはＣ（Ｏ）ＮＲ６Ｒ６であり；
各Ｒ５は独立にＣ１〜Ｃ１０アルキル；ハロ；ハロアルキル；ＳＲ６；ＯＲ６；ＮＲ６Ｒ６；ＣＯＯＲ６；ＮＯ２；ＣＮ；Ｃ（Ｏ）Ｒ６；Ｃ（Ｏ）ＮＲ６Ｒ６；ＯＣ（Ｏ）Ｒ６；Ｓ（Ｏ）２Ｒ６；Ｓ（Ｏ）２ＮＲ６Ｒ６；ＮＲ６Ｃ（Ｏ）ＮＲ６Ｒ６；ＮＲ６Ｃ（Ｏ）Ｒ６；ＮＲ６（ＣＯＯＲ６）；ＮＲ６Ｃ（Ｏ）Ｒ８；ＮＲ６Ｓ（Ｏ）２ＮＲ６Ｒ６；ＮＲ６Ｓ（Ｏ）２Ｒ６；ＮＲ６Ｓ（Ｏ）２Ｒ８；またはＲ４もしくはＲ８で置換されたＣ１〜Ｃ１０アルキルであり；
各Ｒ６は独立にＨ、Ｃ１〜Ｃ１０アルキル；Ｃ２〜Ｃ１０アルケニル；Ｃ２〜Ｃ１０アルキニル；Ｃ３〜Ｃ１０シクロアルキル；Ｒ８；またはＲ８で置換されたＣ１〜Ｃ１０アルキルであり；
各Ｒ７は独立にＣＯＯＲ９、Ｃ（Ｏ）ＮＲ９Ｒ９、Ｓ（Ｏ）２Ｒ９；またはＳ（Ｏ）２ＮＲ９Ｒ９であり；
各Ｒ８は独立にアリール、ヘテロアリール、またはヘテロシクリルであり；
各Ｒ９は独立にＨ、Ｃ１〜Ｃ１０アルキル、アリール、ヘテロアリール、またはヘテロシクリルである化合物でもある。
【０００６】
「アルキル」という用語は、炭素原子を含む直鎖もしくは分枝炭化水素鎖または環状炭化水素部分を意味する。これらのアルキル基は一つまたは複数の二重結合または三重結合を含んでいてもよい。「置換アルキル」とは、アルキルの原子が、例えば、炭素、窒素、硫黄、酸素、もしくはハロゲン原子で、または窒素、硫黄、酸素、もしくはハロゲン原子で置換されているアルキルを意味する。
【０００７】
「置換アルキル」におけるアルキル基の任意の原子に結合されうる置換基の例には、ヘテロシクリル基；ヘテロアリール基、アミノ基、アミド基、アルコキシ基、アシルオキシ基、チオアルコキシ基、アシルチオアルコキシ基、ハロゲン基、スルホネート基、スルホンアミド基、エステル基、カルボン酸、酸素（例えば、カルボニル基）および硫黄（例えば、チオカルボニル基）が含まれる。置換基には分子の水溶性を改善するいかなる化学官能基（例えば、カルボン酸、カルボン酸エステル、カルボキサミド、モルホリノ、ピペラジニル、イミダゾリル、チオモルホリノ、またはテトラゾリル基；置換および無置換の両方）も含まれる。
【０００８】
「ハロ」および「ハロゲン」なる用語は、フッ素、塩素、臭素またはヨウ素のいかなる基も意味する。「環」および「環構造」なる用語は、表示の数の原子を含み、該原子は炭素、または示されている場合には窒素、酸素もしくは硫黄などのヘテロ原子である環を意味する。環自体、ならびにその上の任意の置換基が、安定な化合物の形成を可能にする任意の原子に結合されていてもよい。
【０００９】
「アリール」なる用語は、６−炭素単環式または１０−炭素二環式芳香環構造であって、ここで各環の０、１、２または３個の原子は置換基で置換されていてもよい環構造を意味する。アリール基の例にはフェニル、ナフチルなどが含まれる。
【００１０】
「ヘテロアリール」なる用語は、芳香族の５員〜８員単環式、８員〜１２員二環式、または１１員〜１４員三環式環構造であって、単環式であれば１個〜３個のヘテロ原子、二環式であれば１個〜６個のヘテロ原子、または三環式であれば１個〜９個のヘテロ原子を含み、該ヘテロ原子はＯ、Ｎ、またはＳから選択され、各環の０、１、２または３個の原子は置換基で置換されていてもよい環構造を意味する。ヘテロアリール基の例には、ピリジル、フリルまたはフラニル、イミダゾリル、ベンズイミダゾリル、ピリミジニル、チオフェニルまたはチエニル、キノリニル、インドリル、チアゾリルなどが含まれる。
【００１１】
「ヘテロシクリル」なる用語は、非芳香族の５員〜８員単環式、８員〜１２員二環式、または１１員〜１４員三環式環構造であって、単環式であれば１個〜３個のヘテロ原子、二環式であれば１〜６個のヘテロ原子、または三環式であれば１個〜９個のヘテロ原子を含み、該ヘテロ原子はＯ、Ｎ、またはＳから選択され、各環の０、１、２または３個の原子は置換基で置換されていてもよい環構造を意味する。ヘテロシクリル基の例には、ピペリジニル、ピロリジニル、ジオキサニル、モルホリニル、テトラヒドロフラニルなどが含まれる。
【００１２】
本発明によって企図される置換基および変量の組み合わせは、結果として安定な化合物を形成するものだけである。本明細書において用いられる「安定な」なる用語は、製造を可能にするのに十分な安定性を有し、かつ本明細書において詳述される目的（例えば、被験者への治療的もしくは予防的投与、または防腐薬、創傷包帯含浸、滅菌剤、もしくは消毒剤への適用）のために有用たるに十分な期間、化合物の完全性を維持する化合物を意味する。
【００１３】
「疼痛軽減を必要とする被験者」は、必ずしも現在疼痛を経験しているわけではなく、「疼痛軽減」は１００％未満の疼痛低減を含む。例えば、本発明は、いかなる原因による神経障害性疼痛、例えば、ヘルペス後神経痛、幻肢痛または切断端痛、糖尿病性神経障害、後天性免疫不全症候群神経障害、背痛、および内臓痛（例えば慢性膵炎）に対しても、ヒト患者、イヌ、ネコ、またはウマを含む哺乳類を治療するために用いることができる。「神経障害性疼痛」とは、末梢神経系への損傷または末梢神経系の障害によって生じる疼痛を意味する。
【００１４】
化合物は局所または全身、例えば、インプラント（例えば、遅延放出のため）を介して、または静脈内大量注射もしくは塊状注入により投与することができる。「インプラント」とは、皮膚よりも深部の組織内にある任意の装置であって、その組織内で装置は化合物を制御放出または持続放出する。そのような装置は薬物送達の分野では公知である（例えば、米国特許第６，０１３，８５３号参照）。例えば、式ＩＩの化合物を、マイクロカプセル送達系を含む、制御放出調合物などの体内からの急速な排出から化合物を保護する担体と共に調製することができる。エチレン酢酸ビニル、ポリ無水物、ポリグリコール酸、コラーゲン、ポリオルトエステル、およびポリ乳酸などの生物分解性、生物適合性ポリマーを用いることができる。そのような調合物の調製法は、当業者には明らかであると思われる。この物質は、アルザ社（Ａｌｚａ Ｃｏｒｐｏｒａｔｉｏｎ）およびノバ  ファーマシューティカルズ社（Ｎｏｖａ Ｐｈａｒｍａｃｅｕｔｉｃａｌｓ， Ｉｎｃ．）からも市販されている。リポソーム懸濁液も、薬学的に許容される担体として用いることができる。これらは、例えば米国特許第４，５２２，８１１号に記載のとおり、当業者には公知の方法に従って調製することができる。一回で投与される化合物の量は、体表面積１ｍ２あたり約１ｎｇから４ｍｇ（例えば、体表面積１ｍ２あたり８０ｎｇから１ｍｇ）であってもよく、化合物は薬学的に許容される担体を選択的に含む水溶液に調合することができる。他の適当な用量は、体重１ｋｇあたり約１ｍｇから１０００ｍｇ（例えば、体重１ｋｇあたり約１０ｍｇから５００ｍｇ、または約１００ｍｇ）を含む。
【００１５】
本発明に従った治療は、現在の疼痛が、オピオイド薬物の使用などの他の疼痛軽減法に抵抗性である患者で、疼痛の軽減をもたらす。本発明は、疼痛を予防するために、疼痛を予測して用いることもできる。
【００１６】
本発明はさらに、選択的に急性侵害受容性疼痛よりも神経障害性疼痛を選択的に阻害、治療、または予防する方法であって、疼痛軽減を必要とする被験者を同定する段階、および式ＩＩのものを含む、本明細書に示されている任意の式の化合物（または組成物）を投与する段階を含む方法に関する。もう一つの局面において、その方法は選択的に侵害受容性疼痛よりも神経障害性疼痛を選択的に阻害、治療、または予防することを含み、疼痛軽減を必要とする被験者を同定する段階、および本明細書に示されている任意の式の化合物（または組成物）を投与する段階を含む。これらの方法の一つの局面において、選択的にとは、侵害受容性疼痛よりも神経障害性疼痛をより強く阻害することを意味する。これらの方法のもう一つの局面において、選択的にとは、１９９９年５月１８日発行のボルスーク（Ｂｏｒｓｏｏｋ）ら、米国特許第５，９０５，０６９号（およびその中で引用されている参考文献）、およびアブディ（Ａｂｄｉ）ら、Ａｎｅｓｔｈ． Ａｎａｌｇ． ９１、９５５〜９９９（２０００）に記載のものを含む、標準疼痛モデルによって決定されるとおり、侵害受容性疼痛よりも神経障害性疼痛を少なくとも５０％強く（例えば、＞１００％強く、＞２００％強く、５００％強く）阻害することを意味する。
【００１７】
本発明は、神経障害性疼痛治療を含む、疼痛仲介に関与する受容体として、遺伝子（またはそれらの遺伝子によってコードされるポリペプチド）を査定、同定、または有効性確認する方法にも関する。この方法は、本明細書における任意の式の化合物を被験ポリペプチドと接触させる段階、およびその化合物と被験ポリペプチドとの結合親和性を測定する段階を含む。化合物に対してより大きい親和性を有するポリペプチド（およびそれらをコードする遺伝子）が、疼痛仲介、特に神経障害性疼痛の仲介に直接関与する可能性がより大きい候補である。したがって、これらは、疼痛の治療または予防のための、疼痛仲介の新しい機構およびリガンド（例えば、ペプチドまたは小分子薬物）による阻害の標的についての調査および開発研究の興味深い標的であると考えられる。化合物と受容体との結合親和性の解析は、化合物、標的、もしくは既知のペプチド−リガンド相互作用を仲介する他のリガンドを検出するための標識（放射性標識、蛍光）研究を含む、薬物スクリーニング／設計、ゲノム科学、および医薬品化学分野において公知のアッセイ法、方法、および技術を用いて実施することができるか、または間接的読出し（例えば、その放出または生成が化合物と被験ポリペプチドとの結合相互作用に依存しているマーカーの存在を測定する）を含むこともできる。
【００１８】
本発明はさらに、疼痛薬として可能性があるもの（例えば、ペプチド、化学的実体、小分子）の効力を査定する方法にも関する。本明細書における式の化合物は神経障害性疼痛の仲介において有効であるため、これらは新しい疼痛薬として可能性があるものを査定することができる「標準」としても有用である。そのような方法は、被験化合物（例えば、疼痛薬として可能性があるもの）および式ＩＩの化合物を含む本明細書における任意の式の化合物（すなわち標準）を、被験化合物および本明細書における任意の式の化合物の、疼痛仲介または疼痛の機構調節における有効性の尺度または査定を提供する被験者または媒体（例えば、患者、動物モデル、細胞培養、インビトロアッセイ法）に供することにより、被験化合物を本明細書における任意の式の化合物に対して評価する段階を含む。この方法は、被験化合物の疼痛薬としての有効性を査定するために、化合物試験の結果を評価する段階をさらに含んでいてもよい。これらの方法における化合物の有効性の測定または査定は、当技術分野において公知で、かつ容易に利用可能な任意の数の適当な技術およびプロトコルによって実施することができる。
【００１９】
本発明は、疼痛仲介に関与する新しい遺伝子、受容体、またはペプチドを同定する方法にも関する。これらの方法は、式ＩＩの化合物を含む、本明細書における任意の式の化合物によって引き出される、疼痛仲介に関与する効果を含む代謝効果を調べるための、これらの化合物の使用を含む。そのような方法は、本明細書における任意の式の化合物を、被験者または媒体（例えば、患者、動物モデル、細胞培養、インビトロアッセイ法、組織）に投与する段階、被験者または媒体から組織（例えば、背根神経節、神経組織、脊髄組織、または中枢神経系（ＣＮＳ）組織）を採取する段階、および公知または新規の遺伝子、受容体、またはペプチドの効果について組織を評価する（例えば、誘導、抑制、間接的応答、マーカー産生を同定および／または定量する）段階を含む。公知または新規の遺伝子、受容体、またはペプチドは、疼痛を仲介する新しい薬物のための興味深い標的であり、新しい疼痛仲介、治療、または予防法のための新しい情報および新規な標的を提供する。これらの方法における評価は、遺伝子、受容体、またはペプチドを測定、検出、および同定するための、当技術分野において公知で、かつ容易に利用可能な任意の数の適当な技術およびプロトコルを用いて実施することができる。
【００２０】
別に定義されていない限り、本明細書において用いられるすべての科学・技術用語は、本発明が属する分野の当業者によって一般に理解されているものと同じ意味を持つ。適当な方法および材料が以下に記載されているが、本発明の実施または試験において、本明細書に記載のものと類似または同等の方法および材料を用いることもできる。本明細書において言及されるすべての刊行物、特許出願、特許、および他の参考文献は、その全体が参照として本明細書に組み入れられる。抵触がある場合には、定義を含む本明細書により規制される。加えて、材料、方法、および実施例は単なる例示であって、限定するためのものではない。
【００２１】
本発明の他の特徴および利点は、下記の詳細な説明および特許請求の範囲から明らかになると思われる。
【００２２】
詳細な説明
本発明は、被験者に疼痛を低減または予防するのに十分な量の水溶性スピカマイシン誘導体（式ＩＩ）を投与することにより、疼痛を低減または予防する方法に関する。したがって、本発明の化合物は、任意の適当な経路、例えば、静脈内、動脈内、局所、鼻腔内、吸入により肺内、腹腔内、胸膜内、経口、皮下、筋肉内、舌下、表皮内、腟内、または直腸内により投与することができる。化合物は液剤、懸濁剤、坐剤、錠剤、顆粒剤、散剤、カプセル剤、軟膏、またはクリーム剤として調合することができる。溶媒（例えば、水または生理食塩水）、可溶化剤（例えば、エタノール、ポリソルベート、またはクレモフォア ＥＬ７（Ｃｒｅｍｏｐｈｏｒ ＥＬ７：登録商標）、等張化剤、保存剤、抗酸化剤、賦形剤（例えば、乳糖、デンプン、結晶性セルロース、マンニトール、麦芽糖、リン酸水素カルシウム、軽質無水ケイ酸、または炭酸カルシウム）、結合剤、（例えば、デンプン、ポリビニルピロリドン、ヒドロキシプロピルセルロース、エチルセルロース、カルボキシメチルセルロース、またはアラビアガム）、滑沢剤（例えば、ステアリン酸マグネシウム、タルク、または硬化油）、または安定化剤（例えば、乳糖、マンニトール、麦芽糖、ポリソルベート、マクロゲル、またはポリオキシエチレン硬化ヒマシ油）などの様々な添加剤をこれらの調合物に加えることもできる。適当であれば、下記の化合物も加えることができる：グリセリン、ジメチルアセトアミド、乳酸ナトリウム、界面活性剤、または水酸化ナトリウム、エチレンジアミン、エタノールアミン、重炭酸ナトリウム、アルギニン、メグルミン、もしくはトリスアミノメタンなどの塩基性物質。前述のとおり、式ＩＩの化合物を含む薬学的調合物に有機溶媒（例えば、エタノール）は必要ではない。しかし、疎水性材料（例えば、第二の鎮痛剤）が調合物に含まれる場合、または調合物の薬物動態特性を調節すべき場合には、前掲の可溶化剤および有機物質を用いることができる。液剤、錠剤、顆粒剤、またはカプセル剤などの薬学的調製物を、これらの成分などと共に形成することができる。
【００２３】
本発明の化合物の用量は、動物実験の結果および様々な条件を考慮して決定される。例えば、いかなる疼痛軽減候補化合物も、下記の実施例に記載の動物モデルで試験することができる。より具体的な用量は明らかに、投与法や、年令、体重、性別、感受性、摂取した食事、投与間隔、組み合わせて投与された薬剤、ならびに疼痛の原因、重症度、および程度などの被験者の条件に応じて変動する。所与の条件下での最適用量および投与頻度は、前述の指針に基づいて、医療専門家の適当な用量試験によって決定しなければならない。【００２４】
ＳＡＮおよびＳＡＮ−Ｇｌｙなどの、水溶性、非毒性、または低毒性のスピカマイシン誘導体は、当技術分野において公知の方法を用いて調製することができる。例えば、一般的合成方法は米国特許第５，４６１，０３６号および第５，６３１，２３８号に記載されている。これらの戦略を適合させて、式ＩＩに示すとおり、一つまたは二つの炭素を含む任意のＲ基を糖基に結合することができる。ＳＡＮおよびＳＡＮ−Ｇｌｙを調製するための具体的な半合成戦略は、カミショウハラ（Ｋａｍｉｓｈｏｈａｒａ）ら、Ｊ． Ａｎｔｉｂｉｏｔｉｃｓ ４６：１４３９〜１４４６、１９９３；カミショウハラ（Ｋａｍｉｓｈｏｈａｒａ）ら、Ｏｎｃｏｌｏｇｙ Ｒｅｓ． ６：３８３〜３９０、１９９４；ならびに米国特許第５，４６１，０３６号および第５，６３１，２３８号に記載されている。本明細書に記載の阻害剤化合物を合成する際に有用な合成化学的変換および保護基方法論（保護と脱保護）は当技術分野において公知であり、例えば、Ｒ．ラロック（Ｒ． Ｌａｒｏｃｋ）、「総合有機変換（Ｃｏｍｐｒｅｈｅｎｓｉｖｅ Ｏｒｇａｎｉｃ Ｔｒａｎｓｆｏｒｍａｔｉｏｎｓ）」、ＶＣＨ Ｐｕｂｌｉｓｈｅｒｓ（１９８９）；Ｔ．Ｗ．グリーン（Ｔ．Ｗ． Ｇｒｅｅｎｅ）およびＰ．Ｇ．Ｍ．ビュッツ（Ｐ．Ｇ．Ｍ． Ｗｕｔｓ）、「有機合成における保護基（Ｐｒｏｔｅｃｔｉｖｅ Ｇｒｏｕｐｓ ｉｎ Ｏｒｇａｎｉｃ Ｓｙｎｔｈｅｓｉｓ）」、第２版、Ｊｏｈｎ Ｗｉｌｅｙ ａｎｄ Ｓｏｎｓ（１９９１）；Ｌ．フィーザー（Ｌ． Ｆｉｅｓｅｒ）およびＭ． フィーザー（Ｍ． Ｆｉｅｓｅｒ）、「フィーザーおよびフィーザーの有機合成用試薬（Ｆｉｅｓｅｒ ａｎｄ Ｆｉｅｓｅｒ’ｓ Ｒｅａｇｅｎｔｓ ｆｏｒ Ｏｒｇａｎｉｃ Ｓｙｎｔｈｅｓｉｓ）」、Ｊｏｈｎ Ｗｉｌｅｙ ａｎｄ Ｓｏｎｓ（１９９４）；およびＬ． パケット（Ｌ． Ｐａｑｕｅｔｔｅ）編、「有機合成用試薬百科事典（Ｅｎｃｙｃｌｏｐｅｄｉａ ｏｆ Ｒｅａｇｅｎｔｓ ｆｏｒ Ｏｒｇａｎｉｃ Ｓｙｎｔｈｅｓｉｓ）」、Ｊｏｈｎ Ｗｉｌｅｙ ａｎｄ Ｓｏｎｓ（１９９５）、ならびにそれぞれその後の版に記載のものなどが含まれる。
【００２５】
本発明の化合物はそのすべての塩を含む。そのような塩の例には、薬学的に許容される無機および有機酸および塩基由来のものが含まれる。適当な酸性塩の例には、酢酸塩、アジピン酸塩、アルギン酸塩、アスパラギン酸塩、安息香酸塩、酪酸塩、クエン酸塩、フマル酸塩、グリコール酸塩、ヘミ硫酸塩、ヘプタン酸塩、ヘキサン酸塩、塩酸塩、臭化水素酸塩、ヨウ化水素酸塩、２−ヒドロキシエタンスルホン酸塩、乳酸塩、マレイン酸塩、マロン酸塩、メタンスルホン酸塩、ニコチン酸塩、硝酸塩、シュウ酸塩、パルモ酸塩、ペクチン酸塩、過硫酸塩、ピクリン酸塩、ピバル酸塩、プロピオン酸塩、サリチル酸塩、コハク酸塩、硫酸塩、酒石酸塩、チオシアン酸塩、トシル酸塩およびウンデカン酸塩が含まれる。シュウ酸などの他の酸は、それ自体では薬学的に許容されないが、本発明の化合物およびそれらの薬学的に許容される酸付加塩を得る際の中間体として有用な塩の調製において用いることができる。適当な塩基由来の塩には、アルカリ金属（例えばナトリウム、カリウム）、アルカリ土類金属（例えばマグネシウム）、アンモニウムおよびＮ−（アルキル）４＋塩が含まれる。本明細書における式の化合物には、その中の任意の塩基性窒素含有基の四級化を有するものが含まれる。本発明の化合物は一つまたは複数の不斉中心を含んでいてもよく、したがってラセミ体およびラセミ混合物、単一の鏡像異性体、個々のジアステレオマーならびにジアステレオマー混合物として出現する。これらの化合物のそのような異性体はすべて明らかに本発明に含まれる。
【００２６】
神経障害性疼痛とは、末梢神経系の損傷または障害由来の疼痛である（ウールフ（Ｗｏｏｌｆ）、Ａｃｔａ Ｎｅｕｒｏｃｈｉｒ． ５８：１２５〜１３０、１９９３、およびベネット（Ｂｅｎｎｅｔｔ）、「疼痛教本（Ｔｅｘｔｂｏｏｋ ｏｆ Ｐａｉｎ）」における「神経障害性疼痛（Ｎｅｕｒｏｐａｔｈｉｃ Ｐａｉｎ）」 、Ｐ．Ｄ．ウォール（Ｐ．Ｄ． Ｗａｌｌ）およびＲ．マルザック（Ｒ． Ｍａｌｚａｃｋ）編、２０１〜２２４、Ｃｈｕｒｃｈｉｌｌ Ｌｉｖｉｎｇｓｔｏｎｅ、エジンバラ（１９９４）に総説掲載）。神経障害性疼痛を有する患者は典型的には、持続的熱傷もしくは灼熱痛、感覚の部分的消失、触覚もしくは寒冷異痛症、または反復刺激に対する痛覚過敏を含む、原因に無関係の特徴的な一連の感覚障害を示す。末梢神経障害性疼痛にはいくつかの異なる状態が含まれ、そのうち最も一般的であるのは、三叉神経痛、ヘルペス後神経痛、有痛性糖尿病神経障害、ならびに灼熱痛、単神経障害、および末梢神経損傷を含む反射交感神経ジストロフィである。
【００２７】
侵害受容性疼痛とは、神経系外の損傷または疾患が原因の疼痛である。これは神経障害性疼痛に特徴的な鋭い、外傷様の疼痛ではなく、むしろ進行中の鈍い痛みまたは圧迫であることが多い。侵害受容性疼痛の例には、癌または関節炎、捻挫、骨折、熱傷、こぶ、挫傷による疼痛が含まれる。急性疼痛では、疼痛の重症度は組織損傷の程度に直接相関する。これにより、鋭利または熱い物にふれた場合、ただちに手を動かす反射などの防衛反射が起こる。この型の疼痛は損傷または患部組織の症状であるため、根元的問題が治癒すれば疼痛も消失する。慢性疼痛では、疼痛は防衛または他の生物学的機能を果たしていないため、急性疼痛とは異なる。むしろ、神経は持続的組織損傷がなくても、脳に痛みのメッセージを送り続ける。
【００２８】
疼痛の機構および型が異なるため、選択的に侵害受容性疼痛よりも神経障害性疼痛を選択的に治療または予防することが有益でありうる。別の場合には、疼痛または疼痛症状は神経障害性と侵害受容性の両方の組み合わせであることもあり、そのような場合、両方の型の疼痛の治療が適当でありうる。
【００２９】
オピオイド薬物に抵抗性の無能化疼痛を有する患者に対し、非外科的代替法はほとんどない。本発明の方法は、そのような患者に代替の水溶性疼痛軽減剤を提供する。水溶性が高くなれば、被験者に経口投与した場合に、全身循環への吸収が高まり、それによって薬物の生物学的利用能が高まりうる。
【００３０】
加えて、ＳＡＮ−Ｇｌｙなどの水溶性スピカマイシン誘導体は、ＫＲＮ５５００（カミショウハラ（Ｋａｍｉｓｈｏｈａｒａ）ら、Ｏｎｃｏｌｏｇｙ Ｒｅｓ． ６：３８３〜３９０、１９９４）などの水不溶性スピカマイシン誘導体よりも細胞毒性が低い。このことは、水溶性スピカマイシン誘導体は、慢性疼痛を治療するために必要となりうる反復投与を受ける患者にとって、より安全である。
【００３１】
本発明は、水溶性スピカマイシン誘導体および第二の鎮痛剤または抗炎症剤などの薬物（例えば、アスピリン、アセトアミノフェン、イブプロフェン、ナプロキセン、ジクロフェナク、セレコキシブ、ＮＳＡＩＤＳ、ＣＯＸ−１阻害剤、ＣＯＸ−２阻害剤、ステロイド、ステロイド誘導体、グルココルチコイド）を含む組み合わせ調合物も企図する。
【００３２】
これ以上詳細な記載がなくとも、当業者であれば前述の開示および以下の説明に基づき、本発明を完全に利用することができると考えられる。以下の実施例は、当業者がいかにして本発明を実施しうるかを単に例示するためのものと解釈されるべきであり、開示の他の部分をいかなる様式でも制限するものではない。本開示に引用されるすべての特許および刊行物は、参照として本明細書に組み入れられる。
【００３３】
実施例１
比較的水溶性で、低毒性のスピカマイシン誘導体が疼痛軽減に有用であるかどうかを調べるために、化合物ＳＡＮ−Ｇｌｙを、米国特許第５，６３１，２３８号に記載のとおり半合成的に調製した。次いで、ＳＡＮ−Ｇｌｙを食塩水中で調合した。
【００３４】
体重１５０ｇ〜２００ｇの雄Ｓｐｒａｇｕｅ−Ｄａｗｌｅｙラット（Ｃｈａｒｌｅｓ Ｒｉｖｅｒ Ｌａｂｏｒａｔｏｒｉｅｓ）を用いて、ＳＡＮ−Ｇｌｙ調合物の鎮痛性を評価した。ラットを３匹の群で、軟らかい床敷きを備えたプラスチックケージ内で、１２時間の明暗サイクルで飼育した。飼料および水は自由に与えた。１週間の実験室条件への馴化後、基準の機械的異痛症を確立するため、すべてのラットを試験した。
【００３５】
異なる動物疼痛モデルは異なる実験結果を生じうるため、ＳＡＮ−Ｇｌｙを二つのラットモデルを用いて試験した。すべての実験は一重盲検様式、すなわち実験者はどのラットが対照食塩水の投与を受け、どのラットがＳＡＮ−Ｇｌｙ調合物の投与を受けるか知らない状態で実施した。
【００３６】
用いた一つのラットモデルは、実験的に誘発した分節脊髄神経損傷（キム（Ｋｉｍ）ら、Ｐａｉｎ ５０：３５５〜３６３、１９９２）に基づいていた。実験室条件への馴化の１週間後、基準測定を記録し、キムら、上記に記載のとおりに手術を行った。ラットを酸素中のハロタンで麻酔し、腹臥位に置いた。Ｌ４〜Ｓ２での正中線皮膚切開を行い、Ｌ４〜Ｓ２領域で傍脊柱筋を棘突起から分離した。左Ｌ５およびＬ６脊髄神経を同定し、６−Ｏ絹糸できつく結紮した。次いで、創傷を縫合した。手術終了時、麻酔を中止し、ラットをケージに戻して、飼料ペレットおよび水を自由に与えた。ラットは約１０分以内に麻酔から回復した。
【００３７】
ラットを、少なくとも１週間、手術から回復させた。手術の１０日から１２日後、ホンフライ毛（ＶＦＦ）による刺激に対する過敏性をモニターすることにより、ラットの異痛症を試験した。ラットを網の床に置き、底の開いた透明なプラスチックの箱で覆いをした。較正したＶＦＦ（３．６１、３．８４、４．０８、４．３１、４．５６、４．７４、４．９３、および５．１６）を左後足の足底皮膚に上げ下げ法を用いて適用し、５０％の足の引っ込めを疼痛閾値とした。各ＶＦＦをラットの下から、網の床を通して挿入し、毛がちょうど曲がるまで足の第二、第三、および第四指に適用することにより試験した（チャプラン（Ｃｈａｐｌａｎ）ら、Ｊ． Ｎｅｕｒｏｓｃｉ． Ｍｅｔｈｏｄｓ ５３：５５〜６３、１９９４）。試験はＶＦＦ適用を４回反復して行った（１０秒〜１５秒に１回の頻度）。次いで、ラットを二群に分け、一群には食塩水を投与し、もう一群にはＳＡＮ−Ｇｌｙ調合物（体重１ｋｇあたり１００ｍｇ；尾静脈に一回の大量注入）を投与した。次いで、両群を手術後の様々な時点で異痛症についてモニターした。
【００３８】
他のラットモデルは、実験的に誘発した慢性締め付け神経損傷（ｃｈｒｏｎｉｃ ｃｏｎｓｔｒｉｃｔｉｏｎ ｎｅｒｖｅ ｉｎｊｕｒｙ）（ベネット（Ｂｅｎｎｅｔｔ）ら、Ｐａｉｎ ３３：８７〜１０７、１９８８）に基づいていた。ベネットら、上記に記載のとおりに、ラットで末梢単神経障害を引き起こした。ハロタン麻酔下でラットに手術を行い、総坐骨神経を露出した。次いで、神経を緩く結紮し、創傷を縫合し、ラットを少なくとも１週間回復させた。次いで、ラットの異痛症を試験し、二群に分け、前述のとおりに再度試験した。
【００３９】
両方の動物モデルを用いた結果を合わせ、図１に概要を示している。ＳＡＮ−Ｇｌｙの単回注入により、基準疼痛行動への６０％の回復が得られ、この疼痛耐容性上昇は手術後少なくとも７日間持続した。したがって、ＳＡＮ−Ｇｌｙは二つの動物疼痛モデルで鎮痛剤として有用であることが判明した。
【００４０】
実施例２
９５％ Ｏ２および５％ ＣＯ２飽和氷冷クレブス液（ＮａＣｌ １１７ｍＭ、ＫＣｌ ３．６ｍＭ、ＣａＣｌ２ ２．５ｍＭ、ＭｇＣｌ２ １．２ｍＭ、ＮａＨ２ＰＯ４ １．２ｍＭ、ＮａＨＣＯ３ ２５ｍＭおよびグルコース１１ｍＭ）で灌流したＬ４背根付きの、厚さ６５０μｍの腰髄横断切片（残存神経損傷（ｓｐａｒｅｄ−ｎｅｒｖｅ ｉｎｊｕｒｙ）動物から）で電気生理学的記録を行った。ＩＩ層からの一次求心線維誘発性の興奮性シナプス後電流（ＥＰＳＣ）を記録するために、全細胞をパッチクランプし、次いで−７０ｍＶで電位固定した。Ｌ４背根の順方向性刺激を、定電流刺激装置に接続された吸引電極で実施し、異なる求心線維群（Ａβ、Ａδ、およびＣ線維）を漸増するのに十分な段階的強度の刺激を用いた。パッチピペットの抵抗はＣｓ２ＳＯ４ １１０ｍＭ、ＣａＣｌ２ ０．５ｍＭ、ＭｇＣｌ２ ２ｍＭ、ＥＧＴＡ ５ｍＭ、ＨＥＰＥＳ ５ｍＭ、ＴＥＡ ５ｍＭ、ＡＴＰ−Ｍｇ塩 ５ｍＭで充填した場合に５ＭＷ〜１０ＭＷであった。電流を増幅し（Ａｘｏｐａｔｃｈ ２００Ａ）、２ｋＨｚでフィルターにかけ、５ｋＨｚでデジタル化し、ｐＣＬＡＭＰ６（Ａｘｏｎ Ｉｎｓｔｒｕｍｅｎｔｓ）を用いて解析した。ＳＡＮ−Ｇｌｙを二段階の濃度（１０ｍＭおよび１００ｍＭ）で氷冷クレブス液に溶解し、氷浴を適用した。５つの細胞のうちの３つで、１００ｍＭのＳＡＮ−ＧｌｙがＥＰＳＣの潜時を増大させ、振幅を減少させることが観察され、この化合物が後角のシナプス伝達阻害において役割を果たしているとの仮説と一致した。この効果は薬物の洗浄によって逆転した。加えて、予想通り、同じ濃度のＳＡＮはまったく効果がなかった。この実施例は、ＳＡＮ−Ｇｌｙおよびその誘導体が神経障害性疼痛を治療する際に有用であることを示している。
【００４１】
他の態様
本発明はその詳細な説明に関して記載されているが、前述の説明は例示のためのもので、本発明の範囲を限定するものではなく、本発明は添付の特許請求の範囲によって規定されることが理解されるべきである。他の局面、利点、および変更は本発明の範囲内である。
【図面の簡単な説明】
【図１】未治療ラットおよびＳＡＮ−Ｇｌｙで治療したラットでの、試験時間に対する力（グラム）（高い力は高い疼痛閾値に相関する）の棒グラフである。誤差バーは１つの標準偏差を示す。
【図２】未治療ラットならびに１００ｍｇ／Ｋｇ、２００ｍｇ／Ｋｇ、および３００ｍｇ／ＫｇのＳＡＮ−Ｇｌｙで治療したラットでの、試験時間に対する力（グラム）（高い力は高い疼痛閾値に相関する）の棒グラフである。誤差バーは１つの標準偏差を示す。
【図１】
2004537494.tif 000009
【図２】
2004537494.tif 000010
【国際公開パンフレット】
2004537494.tif 000011
2004537494.tif 000012
2004537494.tif 000013
2004537494.tif 000014
2004537494.tif 000015
2004537494.tif 000016
2004537494.tif 000017
2004537494.tif 000018
2004537494.tif 000019
2004537494.tif 000020
2004537494.tif 000021
2004537494.tif 000022
2004537494.tif 000023
2004537494.tif 000024
2004537494.tif 000025
2004537494.tif 000026
2004537494.tif 000027
2004537494.tif 000028
2004537494.tif 000029
2004537494.tif 000030
2004537494.tif 000031
2004537494.tif 000032
2004537494.tif 000033
2004537494.tif 000034
2004537494.tif 000035
2004537494.tif 000036
【国際公開パンフレット（コレクトバージョン）】
2004537494.tif 000037
【国際公開パンフレット（コレクトバージョン）】
2004537494.tif 000038
2004537494.tif 000039
2004537494.tif 000040
2004537494.tif 000041
2004537494.tif 000042
2004537494.tif 000043
2004537494.tif 000044
2004537494.tif 000045
2004537494.tif 000046
2004537494.tif 000047
2004537494.tif 000048
2004537494.tif 000049
2004537494.tif 000050
2004537494.tif 000051
2004537494.tif 000052
2004537494.tif 000053
2004537494.tif 000054
2004537494.tif 000055
2004537494.tif 000056
2004537494.tif 000057
2004537494.tif 000058
2004537494.tif 000059
2004537494.tif 000060
2004537494.tif 000061
2004537494.tif 000062
2004537494.tif 000063
【国際調査報告】
2004537494.tif 000064